(57)【特許請求の範囲】
【請求項１】
圧縮ガスのガス圧で弾丸を発射すると共に、ガス圧でカートリッジに装填した遊戯銃用弾丸を発射するようにしたトイガンにおいて、ガン本体とカートリッジとの接合部のガン本体側にパッキンが圧入され、このパッキンは、弾性変形するゴム又は樹脂によって形成され、内部が空洞に形成された筒形の後端部には外周側に突出した環状凸部が形成されると共に、前端部には内周側に折り返した絞り部が形成され、パッキンの先端とカートリッジの後端との間に微小のクリアランスを設けた状態で圧縮ガスがパッキンの内部に流入したとき、パッキンの絞り部を前方へ押し出すことで、パッキンの先端が膨出してカートジッリの後端に密着するようにしたことを特徴とするトイガン。
【請求項２】
ガス吹出口の後方であってガス通路の奥側の壁にインサートピンの後端をかしめた状態でインサートピンを圧入して固定させ、インサートピンの軸方向をパッキンの内周部に向けるようにしたことを特徴とする請求項１記載のトイガン。
【請求項３】
カートリッジ本体を本体前部と本体後部に分割し、本体後部の内周に収納したスプリングの伸縮を制御するスライドを本体後部の内周に摺動自在に設け、スライドの前部外周に本体前部を接合すると共に、本体前部の外周に先端保持部を設け、先端保持部の内周にパッキンを介して弾丸を保持することにより、バレルの基部の後方でカートリッジの本体前部とスライドが本体後部の内周に沿って前後方向に伸縮する構造とし、カートリッジの内部に流入した圧縮ガスはカートリッジを前方へ伸長し、バレルの基部に嵌め込んだゴム製シール部材にカートリッジの前端が圧着するようにしたことを特徴とする請求項１又は請求項２記載のトイガン。
【発明の詳細な説明】
【技術分野】
【０００１】
本発明は、炭酸ガス、ＬＰガス等の圧力ガス又は圧縮エアー（「圧縮ガス」と総称する）等のガス圧で弾丸を発射する機構を有し、実銃の薬莢又はこれに準ずる構造のカートリッジからＢＢ弾等の遊戯銃用弾丸（以下、「弾丸」と総称する）を発射するようにしたトイガンに関する。
【背景技術】
【０００２】
上記の圧力ガスで弾丸を発射する構造のトイガンは、その気体の通路が、構造上いくつかのパーツに分割されている。このため、例えば、鋳造パーツとパイプ等を接合する部位等においては、パッキンやパーツ同士を圧入したり、圧着する等によってシールをするようにしている。
【０００３】
ところで、従来から、図８（ａ）（ｂ）に示すトイガンは、カートリッジ３１の後端に専用のゴムリング３２（図１０（ｂ）参照）又はゴム製Ｏリングを嵌め込み、ガン本体３３とガス吹出口３４との接合部３５をシールするのが一般的であり、ガス漏れを防止するには、カートリッジ３１をガス吹出口３４に強く圧着する必要があった。
【０００４】
しかしながら、シリンダー３６（回転式弾倉）を有するリボルバー式トイガンでは、上記のようにカートリッジ３１をガス吹出口３４に強く圧着すると、シリンダー３６の回転時に大きな抵抗が加わり、トリガー３７（引金）の作動が重くなる等の不都合が生じる。
【０００５】
また、ユーザーがカートリッジ３１を出し入れする際、シリンダー３６を円滑に回転するには、カートリッジ３１の後端に多少の遊びが必要になる。このため、カートリッジ３１の後端にクリアランスを設けると、シール性能が低下するという問題が生じる。このように、シリンダー３６の回転抵抗を減らすことと、シール性能を向上することは相反するものであり、従来の構造で両者の性能を向上することは不可能であった。
【０００６】
また、図９（ａ）〜（ｃ）に示す遊戯用ライフル銃において、ガス漏れを防止するためには、リコイルスプリングを強化する必要があり、特に、ボルトアクションタイプの遊戯用ライフル銃においては、ボルト閉鎖時にカートリッジ３１を強く押し込まなければ確実にシールすることが困難となり、操作性にも問題が生じる。
【０００７】
さらに、上記の図８（ａ）（ｂ）に示すリボルバー式トイガンのシリンダー３６に装填されたカートリッジ３１の先端部は、図８（ａ）に示すバレル３８（銃身）の基部に直接接触させることでガス漏れを防いでいた。
【０００８】
ところが、カートリッジ３１の先端部とバレル３８の基部３８ａとのシール性能を向上するため、バレル（銃身）３８の基部に設けたスプリング３９の強度を強くすることによって圧着力を強化すると、シリンダー３６の回転抵抗が大きくなり、トリガー３７が円滑に作動しないという不都合が生じる。このため、カートリッジ３１の先端部においても、従来の構造では、シリンダー３６の回転性能とシール性能を共に向上することは不可能であった。
【０００９】
なお、本発明を案出するにあたり、従来の技術について種々調査したが、例えば、特許文献１に示すリボルバー式玩具ガス銃においても、カートリッジの前端又は後端等のシール性能を向上すると共に、操作性能を向上するようにした技術は、見出すことができなかった。
【先行技術文献】
【特許文献】
【００１０】
【特許文献１】特開２００９−１７４７７２号公報
【発明の開示】
【発明が解決しようとする課題】
【００１１】
本発明は、上記の事情に鑑みてなされたものであり、圧縮ガスのガス圧でカートリッジ内の遊戯用弾丸を発射するリボルバー式トイガンや遊戯用ライフル銃等において、シリンダーの回転抵抗を減らして操作性を向上したり、ボルトアクションの操作性を向上すると共に、圧縮ガスのシール性能を向上することによって圧縮ガスの漏洩を防止するようにしたトイガンを提供することを目的とする。
【課題を解決するための手段】
【００１２】
上記の問題を解決するために、本発明における請求項１のトイガンは、圧縮ガスのガス圧で弾丸を発射すると共に、ガス圧でカートリッジに装填した遊戯銃用弾丸を発射するようにしたトイガンにおいて、ガン本体とカートリッジとの接合部のガン本体側にパッキンが圧入され、このパッキンは、弾性変形するゴム又は樹脂によって形成され、内部が空洞に形成された筒形の後端部には外周側に突出した環状凸部が形成されると共に、前端部には内周側に折り返した絞り部が形成され、パッキンの先端とカートリッジの後端との間に微小のクリアランスを設けた状態で圧縮ガスがパッキンの内部に流入したとき、パッキンの絞り部を前方へ押し出すことで、パッキンの先端が膨出してカートジッリの後端に密着するようにしたことを特徴とする。
【００１３】
また、本発明の請求項２のトイガンは、請求項１において、ガス吹出口の後方であってガス通路の奥側の壁にインサートピンの後端をかしめた状態でインサートピンを圧入して固定させ、インサートピンの軸方向をパッキンの内周部に向けるようにしたことを特徴とする。
【００１４】
さらに、本発明の請求項３のトイガンは、請求項１又は２において、カートリッジ本体を本体前部と本体後部に分割し、本体後部の内周に収納したスプリングの伸縮を制御するスライドを本体後部の内周に摺動自在に設け、スライドの前部外周に本体前部を接合すると共に、本体前部の外周に先端保持部を設け、先端保持部の内周にパッキンを介して弾丸を保持することにより、バレルの基部の後方でカートリッジの本体前部とスライドが本体後部の内周に沿って前後方向に伸縮する構造とし、カートリッジの内部に流入した圧縮ガスはカートリッジを前方へ伸長し、バレルの基部に嵌め込んだゴム製シール部材にカートリッジの前端が圧着するようにしたことを特徴とする。
【発明の効果】
【００１５】
本発明においては、ガン本体とカートリッジとの接合部のガン本体側にパッキンが圧入され、パッキンの先端とシリンダーに装填したカートリッジの後端との間に微小のクリアランスを設けた状態にすると、パッキンの先端はカートリッジの後端に非接触で近接するため、シリンダーの回転に抵抗を与えることがなく、シリンダーの回転をスムーズに行うことが可能となる。
【００１６】
また、ガス通路内に圧縮ガスを放出すると、圧縮ガスがパッキンの内部に流入する。このとき、パッキンの先端内径の絞り部を前方へ押し出すことで、パッキンの先端が膨出してカートジッリの後端に密着するため、パッキンとカートリッジとの接合部からのガス漏洩が防止される。
【００１７】
さらに、パッキンの内部に流入した圧縮ガスは、パッキンの内径を膨出させると共に、パッキンの環状凸部をガン本体側に密着させるため、この密着部位からもガス漏れは発生しない。
【００１８】
そのため、ガス通路を流通する圧縮ガスはカートリッジの内部のみに流入し、カートリッジの先端内部に装填した弾丸を効率的に前方へ発射させることが可能となる。その結果、ガス流入時のシール性能が増大し、従来よりも少ないガス供給量で従来と同様の弾丸の発射速度を得ることが可能となる。
【図面の簡単な説明】
【００１９】
【図１】(ａ)は本発明の実施例１に係るリボルバー式トイガンの全体構造を示す断面図であり、(ｂ)はシリンダーに装填したカートリッジの周辺を示す(ａ)のＡ部分の拡大断面図である。
【図２】図1(ａ)(ｂ)に示すパッキンの周辺に関する部分拡大図である。
【図３】(ａ)は図２に示すパッキンの全体斜視図であり、(ｂ)は（ａ）の断面図である。
【図４】本発明の実施例１に係るパッキンを適用した遊戯用ライフル銃の要部拡大断面図であり、図９(ａ)（ｂ）のＣ部分に相当する拡大断面図である。
【図５】(ａ)は本発明の実施例２に係るトイガンの全体構造を示す断面図であり、(ｂ)はシリンダーに装填したカートリッジの周辺を示すＢ部分の拡大断面図である。
【図６】図５(ａ)(ｂ)に示すパッキンの周辺に関する部分拡大図である。
【図７】(ａ)は本発明の実施例３に係るカートリッジのスライドを前方へ押し出した状態を示す断面図であり、（ｂ）は（ａ）の状態から元の後方へ戻した状態を示す断面図である。
【図８】(ａ)は従来のリボルバー式トイガンの全体構造を示す断面図であり、(ｂ)はシリンダーに装填したカートリッジの周辺を示すＣ部分の拡大断面図である。
【図９】(ａ)は従来の遊戯用ライフル銃の全体構造を示す外観図であり、（ｂ）は（ａ）の断面図であり、（ｃ）は（ｂ）のカートリッジの周辺を示すＤ部分の拡大断面図である。
【図１０】（ａ）は従来のカートリッジの外観図であり、（ｂ）は（ａ）の断面図である。
【発明を実施するための形態】
【実施例１】
【００２０】
以下、本発明の実施例について図面を参照しながら説明する。なお、本発明の説明において、「前方」又は「先端」の語はガン本体の銃口側を云い、「後方」又は「後端」の語はガン本体のハンマー側を云うこととする。
【００２１】
図１（ａ）（ｂ）に示す本実施例のリボルバー式トイガンにおいて、ガン本体１のグリップ２内に設けたガスボンベ３の上部にはガス噴出口４が設けられ、トリガー５を引かない通常の状態では、ガス噴出口４はその上方に設けられたバルブ６によって閉塞されている。次いで、トリガー５を引き、ハンマー７が回転するとバルブ６が移動してガス噴出口４が解放され、ガスボンベ３の圧縮ガスが一気に圧力の低いガス通路８へ流入する。
【００２２】
本実施例においては、図２に示すように、ガン本体１とカートリッジ１０との接合部１１のガン本体１側に形成した環状溝部１２にパッキン１３が圧入されている。このパッキン１３は、弾性変形するゴム又は樹脂によって形成され、図３（ａ）（ｂ）に示すように、内部が空洞に形成された筒形の後端部に外周側に突出した環状凸部１４が形成され、前端部には内周側に折り返した絞り部１５が形成されている。
【００２３】
このようなパッキン１３を上記の環状溝部１２に圧入する。このとき、パッキン１３の先端とシリンダー９（図１（ｂ）参照）に装填したカートリッジ１０の後端との間（接合部１１の間）に微小のクリアランスが生じると、パッキン１３の先端はカートリッジ１０の後端に非接触で接近するため、シリンダー９の回転に抵抗を与えることがなく、シリンダー９（図１（ｂ）参照）の回転をスムーズに行うことが可能となる。
【００２４】
また、図１（ａ）に示すトリガー５を引くことによって、ガスボンベ３から圧縮ガスを放出すると、この圧縮ガスがパッキン１３の内部に流入する。このとき、図２に示すように、パッキン１３の先端内径の絞り部１５を前方へ押し出すことで、パッキン１３の先端が膨出してカートリッジ１０の後端に密着するため、パッキン１３とカートリッジ１０との接合部１１からのガス漏洩が防止される。
【００２５】
さらに、パッキン１３の内部に流入した圧縮ガスは、パッキン１３の内径を膨出させると共に、パッキン１３の環状凸部１４をガン本体１の環状溝部１２に密着させるため、この密着部位からもガス漏れは発生しない。そのため、ガス通路８を流通する圧縮ガスはパッキン１３及びカートリッジ１０の内部のみに流入し、図１（ａ）（ｂ）に示すようにカートリッジ１０の先端内部に装填した弾丸Ｂを効率的に前方へ発射させることが可能となる。その結果、ガス流入時のシール性能が増大し、従来よりも少ないガス供給量で従来と同様の弾丸Ｂの発射速度を得ることが可能となる。
【００２６】
上記の構成は、図１（ａ）（ｂ）に示すリボルバー式トイガンにパッキン１３を挿着した実施例であるが、図４に示すような遊戯用ライフル銃においても適用可能である。
【００２７】
図４は、従来の遊戯用ライフル銃を示す図９のＤ部分に相当するものであり、上記の実施例と同様に、ガン本体１とカートリッジ１０との接合部１１のガン本体１側に形成した環状溝部１２に、図３と同様のパッキン１３を圧入することによって、圧縮ガスの漏洩を防止することが可能となる。このため、リコイルスプリングを弱く設定することが可能となり、ボルトアクションにおいても強く押し込むなどの動作が不要となる。
【実施例２】
【００２８】
図１（ａ）（ｂ）に示すリボルバー式トイガン等においては、通常はガス通路８にインサートピン１６を設けることはないが、改造防止の理由で、図２に示すように、カートリッジ１０の後方におけるガス通路８の幅方向へ横断するようにインサートピン１６を取り付けた場合、この部位にボール状の打撃球等を装填するような悪意の改造を防止することが可能となる。
【００２９】
しかしながら、本実施例では、カートリッジ１０の後方にパッキン１３を設けてあるため、上記のインサートピン１６の取付けは不可能である。従って、本実施例では、図５（ａ）（ｂ）又は図６に示すように、ガン本体１とカートリッジ１０との接合部１１のガン本体１側の環状溝部１２にパッキン１３を圧入すると共に、ガス吹出口１９の後方であってガス通路８の奥側の壁部２０にインサートピン１７の後端をかしめた状態（かしめ部１７ａ）でインサートピン１７を圧入して固定させた構造とし、インサートピン１７の軸方向をパッキン１３の内周部に向けるようにしている。
【００３０】
このインサートピン１７として高硬度の金属棒を用いると、通常の工具でインサートピン１７を外したり、削ることが困難となる。従って、悪意のユーザーが撃発装置等を考案して改造を試みた場合であっても、上記のインサートピン１７が邪魔になるため、その改造を防止することが可能となる。
【００３１】
また、上記のインサートピン１７を取り付けることによって、ガス解放時には、ガス通路１８内の圧縮ガスがインサートピン１７に沿って流れるため、パッキン１３の手前で圧縮ガスの流速を上げることが可能となる。その結果、パッキン１３の絞り部１５をより前方へ伸長することが可能になり、パッキン１３の先端とカートリッジ１０の後端との密着力をあげることによってガン本体１とカートリッジ１０との接合部１１のシール性能が増大する。
【実施例３】
【００３２】
本実施例は、カートリッジ１０の構造を図７（ａ）（ｂ）に示す新規な構成とすることによって、図１０に示す従来のカートリッジ１０Ａの構造を改良したものである。
【００３３】
本実施例のカートリッジ１０の構造は、図７（ａ）（ｂ）に示すように、カートリッジ１０の本体を本体前部１８ａと本体後部１８ｂに分割し、本体後部１８ｂの内周に環状段差２３を設けて、ここにスプリング２４を収納する。
【００３４】
また、スプリング２４を係止してスプリング２４の伸縮を制御するスライド２５を本体後部１８ｂの内周に前後方向に摺動自在に設け、スライド２５の前方外周に本体前部１８ａをネジ構造２６で接合すると共に、本体前部１８ａの外周に先端保持部２７を設け、この先端保持部２７の内周にパッキン２８を介して弾丸Ｂを保持するようにしている。さらに、本体後部１８ｂの外周後端にはリブ２９を形成すると共に、本体後部１８ｂの内周端部には基端部３０を固定した構造としている。
【００３５】
このような構成のカートリッジ１０を図１（ａ）（ｂ）又は図５（ａ）（ｂ）に示すシリンダー９に装填し、カートリッジ１０をバレル２１の基部に接続することにより、バレル２１の基部の後方で、図７（ａ）（ｂ）に示すカートリッジ１０の本体前部１８ａとスライド２５が本体後部１８ｂの内周に沿って前後方向に伸縮する構造となる。
【００３６】
上記の構造において、図７（ａ）に示すように、カートリッジ１０の後端からその内部を経て弾丸Ｂの部位まで流入した圧縮ガスは、その弾丸Ｂがカートリッジ１０の内周に圧接したパッキン２８に強く係止されているため、弾丸Ｂがカートリッジ１０から発射する前に内圧が作用し、カートリッジ１０が前方へ伸長する。
【００３７】
また、バレル２１の基部にはゴム製シール部材２２（図１（ｂ）参照）が嵌め込んであるため、このシール部材２２にカートリッジ１０の前端が圧着することによって完全にシールされる。そして、この状態で弾丸が発射されるため、圧縮ガスを無駄に漏洩することがなく、カートリッジ１０を構成する各パーツの抵抗を激減させることが可能となる。
【００３８】
上記の構成により、従来の図１０（ａ）（ｂ）に示すような構造のカートリッジ１０Ａでは困難であった弾速の安定化を向上し、それによる命中精度の向上や作動性能を向上すると共に、安全性の向上等を達成することが可能となる。
【産業上の利用可能性】
【００３９】
本発明のトイガンは、圧縮ガスのガス圧でカートリッジ内の遊戯用弾丸を発射するリボルバー式トイガンや遊戯用ライフル銃等において、シリンダーの回転抵抗を減らして操作性を向上したり、ボルトアクションの操作性を向上すると共に、圧縮ガスのシール性能を向上することによって圧縮ガスの漏洩を防止するようにしたトイガンとして利用可能である。
【符号の説明】
【００４０】
Ｂ  弾丸
１  ガン本体
２  グリップ
３  ガスボンベ
４  ガス噴出口
５  トリガー
６  バルブ
７  ハンマー
８  ガス通路
９  シリンダー
１０  カートリッジ
１１  接合部
１２  環状溝部
１３  パッキン
１４  環状凸部
１５  絞り部
１６  インサートピン
１７  インサートピン
１８ａ  本体前部
１８ｂ  本体後部
１９  ガス吹出口
２０  壁部
２１  バレル
２２  シール部材
２３  環状段差
２４  スプリング
２５  スライド
２６  ネジ構造
２７  先端保持部
２８  パッキン
２９  リブ
３０  基端部
【図１】
0006331041.tif 000002
【図２】
0006331041.tif 000003
【図３】
0006331041.tif 000004
【図４】
0006331041.tif 000005
【図５】
0006331041.tif 000006
【図６】
0006331041.tif 000007
【図７】
0006331041.tif 000008
【図８】
0006331041.tif 000009
【図９】
0006331041.tif 000010
【図１０】
0006331041.tif 000011